(57)【特許請求の範囲】
【請求項１】
キャップ本体（２）と、キャップ本体（２）の上部を開閉自在に覆蓋するように開閉用ヒンジ（４）を介して支持された蓋体（３）とを備えたキャップにおいて、
キャップ本体（２）に外嵌されるリング状の操作体（５）が設けられ、操作体（５）は、蓋体（３）の開閉用ヒンジ（４）側を支点に、蓋体（３）の開方向に揺動自在に支持され、操作体（５）に操作部（４２）が設けられ、操作部（４２）を、操作体（５）が開閉用ヒンジ（４）側を支点に開方向に揺動するように操作したとき、蓋体（３）の開閉用ヒンジ（４）とは反対側を操作体（５）で開方向に押圧するように構成され、操作体（５）が開閉用ヒンジ（４）側を支点に開方向に揺動したとき、蓋体（３）を開方向に移動させるように開閉用ヒンジ（４）又は蓋体（３）の開閉用ヒンジ（４）側を押圧する押圧部（４３）が、設けられ、
前記押圧部（４３）は、操作体（５）の開閉用ヒンジ（４）側であって前記操作体（５）の揺動支点よりも上方に配置され、操作部（４２）は、操作体（５）の開閉用ヒンジ（４）とは反対側であって前記操作体（５）の揺動支点よりも上方に配置されていることを特徴とするキャップ。
【請求項２】
キャップ本体（２）の外周を取り囲む外カバー体（６）が設けられ、前記操作体（５）の大部分が、キャップ本体（２）と外カバー体（６）との間に収納保持されていることを特徴とする請求項１に記載のキャップ。
【請求項３】
前記操作体（５）との間で内外二重構造となるように、操作体（５）の内側に位置するリング状の取付体（５１）が設けられ、該取付体５１はキャップ本体（２）に外嵌固定され、操作体（５）は、取付体（５１）に対して開閉用ヒンジ（４）側を支点に、蓋体（３）の開方向に揺動自在になるように取付体（５１）に連結されていることを特徴とする請求項１に記載のキャップ。
【請求項４】
前記操作体（５）が、開閉用ヒンジ（４）側を支点に蓋体（３）の開方向に揺動自在になるように、キャップ本体（２）に連結されていることを特徴とする請求項１に記載のキャップ。
【請求項５】
キャップ本体（２）の外周を取り囲む外カバー体（６）が、設けられ、外カバー体（６）に蓋体（３）が開閉用ヒンジ（４）を介して連結されていることを特徴とする請求項１に記載のキャップ。
【請求項６】
キャップ本体（２）の外周を取り囲む外カバー体（６）が設けられ、該外カバー体（６）が、蓋体（３）の開閉用ヒンジ（４）側を支点に、蓋体（３）の開方向に揺動自在に支持され、前記外カバー体（６）が、前記操作体（５）に兼用されていることを特徴とする請求項１に記載のキャップ。
【請求項７】
開閉用ヒンジ（４）を介して開閉自在に支持された蓋体（３）を備えたキャップにおいて、
蓋体（３）の開方向に揺動自在となるように支持された操作体（５）が設けられ、操作体（５）に操作部（４２）が設けられ、操作体（５）を開方向に揺動するように操作部（４２）を操作したとき、蓋体（３）の開閉用ヒンジ（４）とは反対側を操作体（５）で開方向に押圧するように構成され、操作体（５）が開方向に揺動したとき、蓋体（３）を開方向に移動させるように開閉用ヒンジ（４）又は蓋体（３）の開閉用ヒンジ（４）側を押圧する押圧部（４３）が、設けられ、
前記操作体（５）の揺動支点は、操作体（５）の開閉用ヒンジ（４）側に設けられ、前記押圧部（４３）は、操作体（５）の開閉用ヒンジ（４）側であって前記操作体（５）の揺動支点よりも上方に配置され、操作部（４２）は、操作体（５）の開閉用ヒンジ（４）とは反対側であって前記操作体（５）の揺動支点よりも上方に配置されていることを特徴とするキャップ。
【請求項８】
前記蓋体（３）が、容器本体（７）の開口部（９２）を開閉自在に覆蓋するように開閉用ヒンジ（４）を介して支持され、前記操作体（５）が、リング状に形成されて、容器本体（７）に外嵌されていることを特徴とする請求項７に記載のキャップ。
【請求項９】
容器本体（７）の外周を取り囲む容器カバー体（９１）が設けられ、前記操作体（５）の大部分が、容器本体（７）と容器カバー体（９１）との間に収納保持されていることを特徴とする請求項８に記載のキャップ。
【発明の詳細な説明】
【０００１】
【発明の属する技術分野】
本発明は、キャップに関するものである。
【０００２】
【従来の技術】
化粧品用ボトル等の容器に用いられるキャップとして、キャップ本体と、このキャップ本体の上部を覆蓋可能であってキャップ本体に対して開閉用ヒンジを介して接続された蓋体とを有したものがあり、この種のキャップは、例えば実公平６−１５８４４号公報中等でも従来技術として取り扱われているように、今や周知である。
このキャップでは、開閉用ヒンジがバネの役目を果たしており、閉鎖状態から所定だけ蓋体を開けると開閉用ヒンジのバネ力で残りの開動が自動化されたり、開放状態から所定だけ蓋体を閉めると開閉用ヒンジのバネ力で残りの閉動が自動化されるという便利さがある。しかし、開動時又は閉動時に与えるべき操作量は明確なものではなく、この操作量が不十分であると開動失敗や閉動失敗となる不便さもあった。
【０００３】
また、閉鎖時の止水性を出すには、キャップ本体と蓋体との間である程度の係合強度を持たせておく必要があるから、開動時にはその係合を解くために強い操作力を必要として、結局のところ両手が必要になるという不具合もあった。
そこで、これらの不具合を解消することのできるキャップが、上記実公平６−１５８４４号公報や、その他、実開平７−９７４７号公報等で提案されている。
これら公報記載のキャップでは、キャップ本体の上面にスライド自在な板材が設けられており、この板材の先端部にはキャップ本体と蓋体との閉鎖界面から外方へ突出する操作部が設けられたものである。
【０００４】
従って、蓋体の閉鎖時にこの板材を押し込み方向へスライド操作すると、クサビ作用の発生によって蓋体を押し開かせる（係合の解除）と共に、続けて板材の後端部で開閉用ヒンジを内側から押圧して、これによって蓋体を片手で開動させることができるというものであった。
【０００５】
【発明が解決しようとする課題】
従来のキャップでは、キャップ本体の上面に板材が設けられていたので、板材とキャップ本体との間の抵抗が大きくなって、板材のスライド操作がスムーズにできない場合があり、特に、キャップ本体とのスライド部分（可動部分）に容器内の内容物等が染み込んで付着成長し、次第に板材の動きが悪化したり板材が外れやすくなったりすることがあり、蓋体を片手で簡単に開くことができないことがあった。
【０００６】
本発明は、上記問題点に鑑み、蓋体を、片手でも、より簡単に開くことができるようにすることを目的とする。
【０００７】
【課題を解決するための手段】
この技術的課題を解決する本発明の技術的手段は、キャップ本体２と、キャップ本体２の上部を開閉自在に覆蓋するように開閉用ヒンジ４を介して支持された蓋体３とを備えたキャップにおいて、
キャップ本体２に外嵌されるリング状の操作体５が設けられ、操作体５は、蓋体３の開閉用ヒンジ４側を支点に、蓋体３の開方向に揺動自在に支持され、操作体５に操作部４２が設けられ、操作部４２を、操作体５が開閉用ヒンジ４側を支点に開方向に揺動するように操作したとき、蓋体３の開閉用ヒンジ４とは反対側を操作体５で開方向に押圧するように構成され、操作体５が開閉用ヒンジ４側を支点に開方向に揺動したとき、蓋体３を開方向に移動させるように開閉用ヒンジ４又は蓋体３の開閉用ヒンジ４側を押圧する押圧部４３が、設けられ、
前記押圧部４３は、操作体５の開閉用ヒンジ４側であって前記操作体５の揺動支点よりも上方に配置され、操作部４２は、操作体５の開閉用ヒンジ４とは反対側であって前記操作体５の揺動支点よりも上方に配置されている点にある。
【０００８】
本発明の他の技術的手段は、キャップ本体２の外周を取り囲む外カバー体６が設けられ、前記操作体５の大部分が、キャップ本体２と外カバー体６との間に収納保持されている点にある。
本発明の他の技術的手段は、前記操作体５との間で内外二重構造となるように、操作体５の内側に位置するリング状の取付体５１が設けられ、該取付体５１はキャップ本体２に外嵌固定され、操作体５は、取付体５１に対して開閉用ヒンジ４側を支点に、蓋体３の開方向に揺動自在になるように取付体５１に連結されている点にある。
【０００９】
本発明の他の技術的手段は、前記操作体５が、開閉用ヒンジ４側を支点に蓋体３の開方向に揺動自在になるように、キャップ本体２に連結されている点にある。
本発明の他の技術的手段は、キャップ本体２の外周を取り囲む外カバー体６が、設けられ、外カバー体６に蓋体３が開閉用ヒンジ４を介して連結されている点にある。
本発明の他の技術的手段は、キャップ本体２の外周を取り囲む外カバー体６が設けられ、該外カバー体６が、蓋体３の開閉用ヒンジ４側を支点に、蓋体３の開方向に揺動自在に支持され、前記外カバー体６が、前記操作体５に兼用されている点にある。
【００１０】
本発明の他の技術的手段は、開閉用ヒンジ４を介して開閉自在に支持された蓋体３を備えたキャップにおいて、
蓋体３の開方向に揺動自在となるように支持された操作体５が設けられ、操作体５に操作部４２が設けられ、操作体５を開方向に揺動するように操作部４２を操作したとき、蓋体３の開閉用ヒンジ４とは反対側を操作体５で開方向に押圧するように構成され、操作体５が開方向に揺動したとき、蓋体３を開方向に移動させるように開閉用ヒンジ４又は蓋体３の開閉用ヒンジ４側を押圧する押圧部４３が、設けられ、
前記操作体５の揺動支点は、操作体５の開閉用ヒンジ４側に設けられ、前記押圧部４３は、操作体５の開閉用ヒンジ４側であって前記操作体５の揺動支点よりも上方に配置され、操作部４２は、操作体５の開閉用ヒンジ４とは反対側であって前記操作体５の揺動支点よりも上方に配置されている点にある。
【００１１】
本発明の他の技術的手段は、前記蓋体３が、容器本体７の開口部９２を開閉自在に覆蓋するように開閉用ヒンジ４を介して支持され、前記操作体５が、リング状に形成されて、容器本体７に外嵌されている点にある。
本発明の他の技術的手段は、容器本体７の外周を取り囲む容器カバー体９１が設けられ、前記操作体５の大部分が、容器本体７と容器カバー体９１との間に収納保持されている点にある。
本発明の他の技術的手段は、弾性によって、操作体５を開方向に揺動した状態から元に戻すための戻し部３４が設けられている点にある。
【００１２】
本発明の他の技術的手段は、前記押圧部４３が、操作体５の開閉用ヒンジ４側に設けられ、操作体５が開方向に揺動したときに、押圧部４３で、開閉用ヒンジ４を押圧して蓋体３を開方向に大きく移動させるように構成されている点にある。
【００１３】
【発明の実施の形態】
以下、本発明の実施の形態を、図面に基づき説明する。
図１〜図４は、本発明に係るキャップ１の一実施形態を示している。
このうち、図１はキャップ１の閉鎖状態であり、この状態から開操作をして開放（全開）状態に至ったものが図２である。
図１〜図４に示すように、キャップ１は、キャップ本体２と、蓋体３と、開閉用ヒンジ４と、操作体（操作リング体）５と、外カバー体６とを有している。
【００１４】
キャップ本体２、蓋体３、開閉用ヒンジ４及び外カバー体６は互いに一体形成され、操作体５は別部材としてリング状に形成されている。キャップ本体２等の一体形成体についても、操作体５についても、それぞれ適宜合成樹脂材により形成すればよい。
キャップ本体２は、容器本体７の口部８に取付可能とされたもので、天壁部１１と周壁部１２とを有し、全体として有底の短円筒を逆向きにした形状を呈している。容器本体７とキャップ１とで、化粧品用ボトル等の容器が構成されている。
【００１５】
キャップ本体２の周壁部１２には、その下端部に沿って内向きの係合爪１３が設けられており、この係合爪１３で容器本体７の口部８まわりに設けられた係合輪１４に係合させて、容器本体７に対するキャップ本体２（即ち、キャップ１全体）の取り付けを可能にしてある。
キャップ本体２の天壁部１１に、容器本体７の口部８内に連通する取出孔１５が設けられ、取出孔１５から容器本体６内に収納した内容物を取り出すようになっている。
【００１６】
外カバー体６は円筒状であって、キャップ本体２の外周を取り囲むように形成され、外カバー体６とキャップ本体２の周壁部１２とはその下端部同士が複数の連結部１７によって一体に連結されている。外カバー体６の前端側の上端部に切り欠き状の凹部１６が形成されている。外カバー体６とキャップ本体２との間に上端側が開口した環状の収納空間１８が形成されている。
蓋体３は、キャップ本体２と略同径円形の逆皿形を呈したもので、開閉用ヒンジ４を介して外カバー体６の周方向一端部に連結支持され、蓋体３は、開閉用ヒンジ４を支点に、図２に示す矢印Ａ，Ｂ方向に揺動して、キャップ本体２の上部を開閉自在に覆蓋するようになっている。
【００１７】
蓋体３の下面側には、取出口１５に内嵌可能な円筒形をした栓体１９が突出形成され、蓋体３でキャップ本体２の上部を覆蓋するように、蓋体３を閉鎖状態にしたとき、栓体１９が取出口１５に内嵌して、取出口１５を塞ぐように構成され、これによって高い止水作用が得られるようになっている。
前記開閉用ヒンジ４は、バネ帯部２４と、このバネ帯部２４の両脇に設けられた補助連結部２５とを有したものとなっており、蓋体３の開放時（全開時）には、キャップ本体２の取出口１５から内容物を流出させるときに蓋体３が邪魔にならない程度（図例では１２０°から１８０°の間とした）まで反転させ、且つ、その状態を保持させるものとしてある。
【００１８】
バネ帯部２４は、外カバー体６から蓋体３の上面にわたって切り込みを入れることによって、側面形状が鉤形（倒立Ｌ字状）を呈するように形成されており、その下端部で外カバー体６に、また上端部で蓋体３に、それぞれ繋がるようになっている。
従って、バネ帯部２４のバネ力は、蓋体３が閉鎖状態から所定角度（図２に鎖線で示す状態）に至るまでは蓋体３を閉鎖方向へ付勢すると共に、蓋体３が所定角度に近づくに従ってその閉鎖方向に付勢する力を増大していき、所定角度を超えた時点で付勢方向が逆転して蓋体３を開放方向へ向かわせるものとなり、最終的には蓋体３を所定の開き角度に開かせた状態でバネ力を略消失して（図２参照）、結果としてこのときの蓋体３の開き状態が保持されるようになっている。
【００１９】
前記操作体５は、蓋体３の開操作に用いられるもので、上側からキャップ本体２と外カバー体６との間の収納空間１８に組み込まれて、その大部分が、キャップ本体２と外カバー体６との間の収納空間１８に収納保持されている。この操作体５は、円筒状の側壁部２７とリング状の天壁部２８とを一体に有し、側壁部２７の前側（蓋体３の開閉ヒンジ４とは反対側）に、第１脚部２９が下方突設され、側壁部２７の後側（蓋体３の開閉ヒンジ４側）に、第２脚部３０が下方突設されている。
【００２０】
第２脚部３０の下端に連結部３１を介して係止部３２が突設され、第２脚部３０に開口窓３３が形成されると共に、開口窓３３に弾性を有するＬ字状の操作体戻し部３４が設けられている。第１脚部２９にストッパー孔３５が設けられている。
係止部３２が、後側の連結部１７に形成した取付孔３６に挿入係合されている。これにより、操作体５は、連結部３１の弾性変形によって、該連結部３１（蓋体３の開閉ヒンジ４側の下部）を支点に、蓋体３の開方向（矢印Ａ方向と略同一方向）に揺動自在に支持されている。
【００２１】
キャップ本体２の周壁部１２に、上昇ストッパー３７が、ストッパー孔３５内に突出するように、設けられており、操作体５が開閉用ヒンジ４側を支点に開方向に揺動したとき、ストッパー孔３５の下側開口縁部が、上昇ストッパー３７に下側から接当して、操作体５の開方向（矢印Ａ方向と略同一方向）への揺動を、図２に示す位置で規制するようになっている。操作体戻し部３４の先端（後端）は、外カバー体６の内面に接当又は近接されており、操作体５が開方向に揺動したとき、前側に弾性変形するようになっており、弾性変形した操作体戻し部３４の復元力によって、開方向に揺動した操作体５を自動的に元の位置に戻すようになっている。
【００２２】
操作体５の開閉用ヒンジ４とは反対側（周壁部１２の第１脚部２９上方）に、外方突出した操作部４２が設けられ、操作部４２は外カバー体６と蓋体３との前端部間、即ち外カバー体６の凹部１６から前方に外方突出され、操作部４２を、操作体５が開閉用ヒンジ４側を支点に開方向（矢印Ａ方向）に揺動するように操作したとき、蓋体３の開閉用ヒンジ４とは反対側（揺動端側）を、操作体５（操作部４２の上面側）で開方向に押圧するように構成されている。また、操作体５の開閉用ヒンジ４側（側壁部２７の第２脚部３０上方）に押圧部４３が設けられ、操作体５が開閉用ヒンジ４側を支点に開方向に揺動したとき、蓋体３を開方向に移動させるように、開閉用ヒンジ４のバネ帯部２４の下部を後方側へ押圧するようになっている。
【００２３】
上記実施の形態によれば、図１に示す閉鎖状態から蓋体３を開く場合、指を操作部４２に引っ掛けて操作部４２を上方（矢印ａ方向）に押圧操作すると、操作体５が、連結部３１（蓋体３の開閉ヒンジ４側の下部）を支点に、蓋体３の開方向（矢印Ａ方向と略同一方向）に揺動して、操作体５の一部である操作部４２が、蓋体３の開閉用ヒンジ４とは反対側（前端側）を、開方向（矢印Ａ方向）に押圧する。
この場合、操作体５によって蓋体３の開閉用ヒンジ４とは反対側を、開方向（矢印Ａ方向）に沿って押圧するため、軽い力でも、開閉用ヒンジ４のバネ力に抗して、蓋体３をスムーズに矢印Ａ方向に揺動させることでき、栓体１９を取出孔１５から簡単に外すことができる。また、操作体５が開閉用ヒンジ４側を支点に開方向に揺動することによって、押圧部４３が開閉用ヒンジ４のバネ帯部２４の下部を後方に押圧するようになり、これにより、蓋体３が、図２の鎖線で示す所定位置を通過して蓋体３が開方向に大きく移動する。
【００２４】
そして、ストッパー孔３５の下側開口縁部が、上昇ストッパー３７に下側から接当することにより、蓋体３の開方向への揺動を、図２に実線で示す位置に規制する。また、このとき、操作体戻し部３４が外カバー体６の内面に押圧して、操作戻し部３４が前側に弾性変形する。このため、操作部４２の押圧操作を解除すると、前側に弾性変形していた操作体戻し部３４の復元力によって、操作体５が開方向に揺動した状態から元の位置に自動的に戻される。
従って、容器本体７を把持した片手の親指等で操作部４２を上方に押圧操作することによって、蓋体３を容器本体７を把持した片手で、蓋体３を簡単に開操作することができる。また、操作体５の以外の特別な部材は不要であり、部品点数を少なくしてコスト高に繋がることも防止できる
また、操作体５の大部分は、外カバー体７とキャップ本体２との間に収納された状態になるため、蓋体３を開放しても、操作体５が外部に大きく露出することもなくなるし、また操作体５に容器本体７内の内容物が付着することもなくなり、長期間亘って蓋体３をスムーズに開放操作することができる。
【００２５】
なお、上記実施の形態では、外カバー体６とキャップ本体２の周壁部１２との下端部同士を複数の連結部１７によって一体に連結しているが、これに代え、連結部１７を、連続した板状のものとして、これを１個だけ設けるようにしてもよい。
図５は前記実施の形態における操作体５の変形例を示している。操作体５は、天壁部２８を有しているが、前記側壁部２７は省略されている。第１脚部２７が、天壁部２８の前側（蓋体３の開閉ヒンジ４とは反対側）に下方突設され、第２脚部３０が、天壁部２８の後側（蓋体３の開閉ヒンジ４側）に下方突設されている。その他の点は前記実施の形態の場合と同様の構成であり、操作体５は、連結部３１の弾性変形によって、該連結部３１（蓋体３の開閉ヒンジ４側の下部）を支点に、蓋体３の開方向（矢印Ａ方向と略同一方向）に揺動自在に支持され、操作体５が開閉用ヒンジ４側を支点に開方向に揺動したとき、ストッパー孔３５の下側開口縁部が、上昇ストッパー４０に下側から接当して、蓋体３の開方向への揺動を規制し、弾性変形していた操作体戻し部３４の復元力によって、操作体５が開方向に揺動した状態から元の位置に戻されるようになっている。また、操作部３７を、操作体５が開閉用ヒンジ４側を支点に開方向に揺動するように操作したとき、蓋体３の開閉用ヒンジ４とは反対側を操作体５で開方向に押圧するように構成され、操作体５が開閉用ヒンジ４側を支点に開方向に揺動したとき、蓋体３を開方向に移動させるように、開閉用ヒンジ４のバネ帯部２４を押圧するようになっている。
【００２６】
図６〜図８は他の実施の形態を示している。外カバー体６とキャップ本体２の周壁部１２とはその上端部同士が連結部４７によって一体に連結され、外カバー体６とキャップ本体２との間に下端側が開口した環状の収納空間１８が形成されている。
操作体５の内側に位置するリング状の取付体５１が設けられ、操作体５と取付体５１とは内外二重構造になっていて、操作体５と取付体５１とは開閉用ヒンジ４（後端）側の下端部が連結部５３により連結されている。操作体５と取付体５１とは、キャップ本体２と外カバー体６との間の収納空間１８に下側から挿入して組み込まれて、操作体５の大部分と取付体５１とが収納空間１８内に収納保持され、取付体５１はキャップ本体２の周壁部１２に嵌合固定されている。
【００２７】
操作体５の上下方向の高さは、後端側から前端側に行くに従って徐々に低くなっていて、操作体５の上端面は、後端側（開閉用ヒンジ４側）から前端側に行くに従って徐々に下降するように傾斜されいる。連結部５３の弾性変形によって、操作体５は、図７に示すように、取付体５１に対して連結部５３（開閉用ヒンジ４側）を支点に、蓋体３の開方向に揺動自在になるように支持されている。
そして、前記図１〜図４の実施の形態の場合と同様に、操作体５の開閉用ヒンジ４とは反対側（操作体５の前側上端部）に、外方突出した操作部４２が設けられ、操作部４２を、操作体５が開閉用ヒンジ４側を支点に開方向に揺動するように操作したとき、蓋体３の開閉用ヒンジ４とは反対側を、操作体５の一部である操作部４２で開方向に押圧するように構成されている。また、操作体５の開閉用ヒンジ４側（操作体５の後側上端部）に押圧部４３が設けられ、操作体５が開閉用ヒンジ４側を支点に開方向に揺動したとき、蓋体３を開方向に移動させるように、開閉用ヒンジ４のバネ帯部２４の下部を後方側へ押圧するようになっている。
【００２８】
操作体５の前側の中途部に係合突起５２が設けられ、係合突起５２は、外カバー体６の凹部１７の上端縁に上側から係合され、これにより、操作体５の下方揺動が規制されるようになっている。
図９は他の実施形態を示し、前記図１〜図４の実施の形態の場合と同様に、外カバー体６とキャップ本体２の周壁部１２とはその下端部同士が連結部１７によって一体に連結され、外カバー体６とキャップ本体２との間に上端側が開口した環状の収納空間１８が形成されている。
【００２９】
操作体５は、上側からキャップ本体２と外カバー体６との間の収納空間１８に組み込まれて、その大部分が、キャップ本体２と外カバー体６との間の収納空間１８に収納保持されている。操作体５の後端側の下端部に連結部５７を介して係止部５８が突設され、この係止部５８が連結部１７の取付孔３６に挿入係合されている。
また、前記図６〜図８の実施の形態の場合と同様に、操作体５の上下方向の高さは、後端側から前端側に行くに従って徐々に低くなっていて、操作体５の上端面は、後端側（開閉用ヒンジ４側）から前端側に行くに従って徐々に下降するように傾斜されており、連結部５７の弾性変形によって、操作体５は、取付体５１に対して連結部５７（開閉用ヒンジ４側）を支点に、蓋体３の開方向（矢印Ａ方向と略同一方向）に揺動自在になるように支持されている。
【００３０】
図１０は他の実施形態を示し、操作体５を隠すためのカバー体６１が設けられている。このカバー体６１は、環状の天壁部６２と円筒状の取付脚６３とを有し、取付脚６３には、内向きの係合凸部６５が設けられ、この係合凸部６５をキャップ本体２に設けられた係合凹部６６に係合させて、キャップ本体２に対してカバー体６１を取り付けている。このカバー体６１によって、外部上方から操作体５の大部分が見えないように隠して、キャップ１の体裁をよくなるようにしている。その他の点は前記図９の実施の形態の場合と同様の構成である。
【００３１】
図１１は他の実施形態を示し、前記図６〜図８の実施の形態の場合と同様に、外カバー体６とキャップ本体２の周壁部１２とはその上端部同士が連結部４７によって一体に連結され、外カバー体６とキャップ本体２との間に下端側が開口した環状の収納空間１８が形成されている。
操作体５の後端側に、操作体５の下端から連結部６８を介して上方突出した係止部６９が設けられており、この係止部６９を、キャップ本体２の天壁部１１に下方突設した取付片７０と、キャップ本体２の周壁部１２との間に嵌合すると共に、係止部６９に設けた係止凹部７１を、周壁部１２に設けた係合凸部７２に係合することによって、操作体５をキャップ本体２に固定している。
【００３２】
操作体５は、キャップ本体２と外カバー体６との間の収納空間１８に下側から挿入して組み込まれて、操作体５の大部分が収納空間１８内に収納保持されている。
また、前記図６〜図８の実施の形態の場合と同様に、操作体５の上下方向の高さは、後端側から前端側に行くに従って徐々に低くなっていて、操作体５の上端面は、後端側（開閉用ヒンジ４側）から前端側に行くに従って徐々に下降するように傾斜されており、連結部６８の弾性変形によって、操作体５は、キャップ本体２に対して連結部６８（開閉用ヒンジ４側）を支点に、蓋体３の開方向に揺動自在になるように支持されている。
【００３３】
そして、前記図１〜図４の実施の形態の場合と同様に、操作体５の開閉用ヒンジ４とは反対側（操作体５の前側上端部）に、外方突出した操作部４２が設けられ、操作部４２を、操作体５が開閉用ヒンジ４側を支点に開方向に揺動するように操作したとき、蓋体３の開閉用ヒンジ４とは反対側を、操作体５の一部である操作部４２で開方向に押圧するように構成されている。また、操作体５の開閉用ヒンジ４側（操作体５の後側上端部）に押圧部４３が設けられ、操作体５が開閉用ヒンジ４側を支点に開方向に揺動したとき、蓋体３を開方向に移動させるように、開閉用ヒンジ４のバネ帯部２４の下部を後方側へ押圧するようになっている。
【００３４】
図１２は他の実施形態を示し、キャップ本体２と操作体５とが一体に形成されると共に、外カバー体６と蓋体３とが一体に形成されている。キャップ本体２と操作体５とは連結部７３を介して連結され、外カバー体６と蓋体３とは開閉ヒンジ４を介して連結されている。
操作体５の上下方向の高さは、後端側から前端側に行くに従って徐々に低くなっていて、操作体５の上端面は、後端側（開閉用ヒンジ４側）から前端側に行くに従って徐々に下降するように傾斜されいる。連結部７３の弾性変形によって、操作体５は、キャップ本体２に対して連結部７３（開閉用ヒンジ４側）を支点に、蓋体３の開方向に揺動自在になるように支持されている。
【００３５】
そして、前記図１〜図４の実施の形態の場合と同様に、操作体５の開閉用ヒンジ４とは反対側（操作体５の前側上端部）に、外方突出した操作部４２が設けられ、操作部４２を、操作体５が開閉用ヒンジ４側を支点に開方向に揺動するように操作したとき、蓋体３の開閉用ヒンジ４とは反対側を、操作体５の一部である操作部４２で開方向に押圧するように構成されている。また、操作体５の開閉用ヒンジ４側（操作体５の後側上端部）に押圧部４３が設けられ、操作体５が開閉用ヒンジ４側を支点に開方向に揺動したとき、蓋体３を開方向に移動させるように、開閉用ヒンジ４のバネ帯部２４の下部を後方側へ押圧するようになっている。
【００３６】
図１３〜図１６は他の実施形態を示し、キャップ本体２と蓋体３とは支持体７５を介して一体に形成されている。キャップ本体２の周壁部１２の下端が連結部７６を介して支持体７５が設けられ、この支持体７５に開閉用ヒンジ４を介して蓋体３が連結されている。
また、キャップ本体２の外周を取り囲む外カバー体６が設けられている。外カバー体６は、円筒状の側壁部７７と環状の天壁部７８とを一体に有し、側壁部７７の後端側には開口窓７９が設けられると共に、開口窓７９に対応して天壁部７８の後端部から取付片８０が下方突設されている。取付片８０の下端部にＬ字状に屈曲した連結部８２を介して係止部８３が突設されており、係止部８３を連結部７６の取付孔８５に係合することによって、外カバー体６は、キャップ本体２に連結されている。これにより、外カバー体６は、操作体５に兼用され、連結部８２の弾性変形によって、該連結部８２（蓋体３の開閉ヒンジ４側の下部）を支点に、蓋体３の開方向（矢印Ａ方向と略同一方向）に揺動自在に支持されている。
【００３７】
そして、前記実施の形態の場合と同様に、操作体５（外カバー体６）の開閉用ヒンジ４とは反対側に、外方突出した操作部４２が設けられ、操作部４２を、操作体５が開閉用ヒンジ４側を支点に開方向に揺動するように操作したとき、蓋体３の開閉用ヒンジ４とは反対側を、操作体５の一部である操作部４２で開方向に押圧するように構成されている。また、操作体５の開閉用ヒンジ４側に押圧部４３が設けられ、操作体５（外カバー体６）が開閉用ヒンジ４側を支点に開方向に揺動したとき、蓋体３を開方向に移動させるように、開閉用ヒンジ４のバネ帯部２４の下部を後方側へ押圧するようになっている。
【００３８】
キャップ本体２の周壁部１２の前端側に、操作体戻し部３４が設けられており、外カバー体６（操作体５）が開閉用ヒンジ４側を支点に開方向に揺動したとき、操作体戻し部３４が外カバー体６の側壁部７７に後方側に押されて弾性変形し、操作体戻し部３４の復元力によって、外カバー体６（操作体５）の開方向（矢印Ａ方向と略同一方向）への揺動を、規制すると共に、弾性変形した操作体戻し部３４の復元力によって、開方向に揺動した外カバー体６（操作体５）を自動的に元の位置に戻すようになっている。
【００３９】
図１７は他の実施の形態を示し、容器本体７と蓋体３と容器カバー体９１とが一体に形成され、蓋体３は、容器カバー体９１の後部上端に開閉用ヒンジ４を介して連結されており、蓋体３は、開閉用ヒンジ４を支点に揺動して、容器本体７の上端開口部９２を開閉自在に覆蓋するようになっている。なお、この容器本体７内には、例えば化粧用クリームが収納される。
蓋体３の下面側には、容器本体７に外嵌可能な円筒形をした係合筒部９３が突出形成され、蓋体３で容器本体７の上端開口部９２を覆蓋するように、蓋体３を閉鎖状態にしたとき、係合筒部９３が上端開口部９２に外嵌するように構成されている。
【００４０】
蓋体３を開操作するためのリング状の操作体５が設けられる共に、操作体５の内側に位置するリング状の取付体５１が設けられ、操作体５と取付体５１とは内外二重構造になっていて、操作体５と取付体５１とは開閉用ヒンジ４（後端）側の下端部が連結部５３により連結されている。
操作体５と取付体５１とは、容器本体７と容器カバー体９１との間の収納空間１８に下側から挿入して組み込まれて、操作体５の大部分と取付体５１とが収納空間１８内に収納保持され、取付体５１は容器本体７に嵌合固定されている。
【００４１】
操作体５の上下方向の高さは、後端側から前端側に行くに従って徐々に低くなっていて、操作体５の上端面は、後端側（開閉用ヒンジ４側）から前端側に行くに従って徐々に下降するように傾斜されいる。連結部５３の弾性変形によって、操作体５は、取付体５１に対して連結部５３（開閉用ヒンジ４側）を支点に、蓋体３の開方向に揺動自在になるように支持されている。
そして、前記図１〜図４の実施の形態の場合と同様に、操作体５の開閉用ヒンジ４とは反対側（操作体５の前側上端部）に、外方突出した操作部４２が設けられ、操作部４２を、操作体５が開閉用ヒンジ４側を支点に開方向に揺動するように操作したとき、蓋体３の開閉用ヒンジ４とは反対側を、操作体５の一部である操作部４２で開方向に押圧するように構成されている。また、操作体５の開閉用ヒンジ４側（操作体５の後側上端部）に押圧部４３が設けられ、操作体５が開閉用ヒンジ４側を支点に開方向に揺動したとき、蓋体３を開方向に移動させるように、開閉用ヒンジ４のバネ帯部２４の下部を後方側へ押圧するようになっている。
【００４２】
なお、この場合、容器のキャップ１は、蓋体３、開閉用ヒンジ４、操作体５及び取付体５１等によって構成されている。
なお、前記実施の形態では、操作体５の開閉用ヒンジ４側に、押圧部４３が後方突出状に設けられ、操作体５が開閉用ヒンジ４側を支点に開方向に揺動したとき、蓋体３を開方向に移動させるように、後方突出状の押圧部４３で、開閉用ヒンジ４のバネ帯部２４の下部を後方側へ押圧する構成されているが、これに代え、押圧部４３を、後方突出状に形成せずに、開閉用ヒンジ４のバネ帯部２４に押圧部４３に向けて突出する突起を設けるようにしてもよい。また、操作体５が開閉用ヒンジ４側を支点に開方向に揺動したときに、押圧部４３で、バネ帯部２４に代えて、開閉用ヒンジ４の補助連結部２５又は蓋体３の開閉用ヒンジ４近傍を押圧して、蓋体３を開方向に移動させるようにしてもよい。
【００４３】
また、前記実施の形態では、操作部４２を、操作体５が開閉用ヒンジ４側を支点に開方向に揺動するように操作したとき、蓋体３の開閉用ヒンジ４とは反対側を、操作体５で開方向に押圧するように構成されているが、これに代え、操作部４２を、操作体５が開閉用ヒンジ４側を支点に開方向に揺動するように操作したとき、蓋体３の開閉用ヒンジ４とは反対側を、操作体５の操作部４２以外の部分で開方向に押圧するようにしてもよい。
また、キャップ本体２、蓋体３、開閉用ヒンジ４、操作体５、外カバー体６等は、合成樹脂材によって形成することが限定されるものではなく、一部又は全部をアルミやステンレス等の金属製とする場合をはじめ、ガラス製等とすることもできる。
【００４４】
キャップ本体２等や容器本体７の外形状は、平面形状として楕円や円等に限定されるものではなく、例えば角型にするなどの変更が可能である。
また、図１、図２、図９、図１０の実施の形態では、リング状の操作体５とキャップ本体２との係止方法は、アンダーであるが、係止方法はこのようなものに限定されず、他の係止手段であってもよい。
また、図６、図７の実施の形態では、リング状の取付体５１をキャップ本体２と容器本体７との間に挟み込んでいるが、取付体５１の固定方法はこのようなものに限定されず、他の手段であってもよい。
【００４５】
その他、実施の態様に応じて適宜変更が可能である。
【００４６】
【発明の効果】
本発明によれば、蓋体を、片手でも、より簡単に開くことができるようになる。
【図面の簡単な説明】
【図１】本発明の一実施の形態を示す蓋体の閉鎖状態の側面断面図である。
【図２】同蓋体の開放状態を示す側面断面図である。
【図３】同蓋体の開放状態を示す平面図である。
【図４】同操作体の斜視図である。
【図５】操作体の変形例を示す斜視図である。
【図６】他の実施の形態を示す蓋体の閉鎖状態の側面断面図である。
【図７】同蓋体の開放状態を示す側面断面図である。
【図８】同キャップの底面図である。
【図９】他の実施の形態を示す蓋体の開放状態の側面断面図である。
【図１０】他の実施の形態を示す蓋体の開放状態の側面断面図である。
【図１１】他の実施の形態を示す蓋体の開放状態の側面断面図である。
【図１２】他の実施の形態を示す蓋体の開放状態の側面断面図である。
【図１３】他の実施の形態を示す蓋体の閉鎖状態の側面断面図である。
【図１４】同蓋体の開放状態を示す側面断面図である。
【図１５】同外カバー体の斜視図である。
【図１６】同キャップ本体及び蓋体の斜視図である。
【図１７】他の実施の形態を示す蓋体の閉鎖状態の側面断面図である。
【符号の説明】
１    キャップ
２    キャップ本体
３    蓋体
４    開閉用ヒンジ
５    操作体
６    外カバー体
７    容器本体
４２    操作部
４３    押圧部
５１    取付体
【図１】
0003762245.tif 000002
【図２】
0003762245.tif 000003
【図３】
0003762245.tif 000004
【図４】
0003762245.tif 000005
【図５】
0003762245.tif 000006
【図６】
0003762245.tif 000007
【図７】
0003762245.tif 000008
【図８】
0003762245.tif 000009
【図９】
0003762245.tif 000010
【図１０】
0003762245.tif 000011
【図１１】
0003762245.tif 000012
【図１２】
0003762245.tif 000013
【図１３】
0003762245.tif 000014
【図１４】
0003762245.tif 000015
【図１５】
0003762245.tif 000016
【図１６】
0003762245.tif 000017
【図１７】
0003762245.tif 000018